(57)【特許請求の範囲】
【請求項１】
サムターンの軸部に対して回動可能となるように枢着された摘み部と、
摘み部外周の一対の押圧ボタンと、
押圧操作により一方の押圧ボタンと噛合可能となるようサムターンの軸部に固定された歯車体の歯車部と、
他方の押圧ボタンの押圧操作または押圧解除により、歯車部側から退避または歯車部側に向けて揺動可能となるように配置された梃子レバーと、
を備え、
他方の押圧ボタンの押圧解除時では一方の押圧ボタンを梃子レバー上端側により係止させて当該一方の押圧ボタンと歯車体の歯車部との噛合を阻止させ、
他方の押圧ボタンの押圧操作によって梃子レバー上端側を歯車体から退避させ、この梃子レバーによる一方の押圧ボタンの係止を解除させて当該一方の押圧ボタンと歯車体の歯車部との噛合を可能にしてサムターンと摘み部とを一体化させるものとしたことを特徴とするサムターンの不正回転防止構造。
【請求項２】
摘み部は、内部に形成された空間部におけるサムターンの軸部に歯車体が固定されると共に、該歯車体の歯車部に対向して梃子レバーに形成された長孔に前記軸部が所定の遊びを有して挿通され、梃子レバーが支軸部を中心に歯車体の歯車部側に向けて揺動可能となるように配置されている請求項１記載のサムターンの不正回転防止構造。
【請求項３】
梃子レバーは、この下端部に、歯車体の歯車部に対向するようにしてＬ字形突片部が突設され、梃子レバーの上端側には、歯車体の歯車部の前側平側面に衝止可能となる肉厚部が形成され、該肉厚部はスプリングを介して歯車体の歯車部の前側平側面に常に圧接するように付勢されることで、押圧操作したときの一方の押圧ボタンが歯車体の歯車部に噛合する手前で前記肉厚部により常時係止されるものとし、他方の押圧ボタンの押圧操作によってＬ字形突片部を介して梃子レバーを揺動させ、肉厚部による一方の押圧ボタンの係止を解除させて歯車体の歯車部と噛合させるものとした請求項１または２記載のサムターンの不正回転防止構造。
【請求項４】
摘み部の後部内側に、先端を空間部に向けて係止ピンを配設し、この係止ピン先端を、サムターンの軸部に固定された歯車体の歯車部後方に連設された爪車部の係止爪へ、当該サムターンの軸部を解錠させないようにフリー回転可能に係合させてなる請求項１記載のサムターンの不正回転防止構造。
【発明の詳細な説明】
【技術分野】
【０００１】
本発明は、例えば玄関ドア等の開閉扉体に設けられ、施解錠可能な摘み部を備えたサムターンの不正回転防止構造に関する。
【背景技術】
【０００２】
従来から、この種のサムターン構造としては、特許文献１に開示されているように、サムターンを構成する軸部を、軸本体とコイルバネ等の可撓部とで構成し、摘み部の施錠方向への回動操作を助勢すると共に、解錠方向への回動操作の場合には、可撓部のコイルバネが巻き緩むようにすることで解錠操作を無効とさせる技術が存在する。そして、摘み部を正面から摘んだ際には、摘み部の回転が可撓部に伝達されることでサムターンを正逆両方向に回動可能とし、摘み部を側方から回動させる場合には、可撓部が軸芯に対して屈曲を起こして正常な回転を阻止することでサムターンの解錠方向への不正な回転を防止するものとされている。
【特許文献１】特開平１１−３５０８０５号公報
【発明の開示】
【発明が解決しようとする課題】
【０００３】
しかしながら、従来におけるサムターン構造では、サムターンを構成する軸部を、軸本体とコイルバネ等の可撓部とで構成されているため、摘み部自体が開閉扉体からかなり突出した構造となり、見栄えが悪くなる。さらに、可撓部自体がコイルバネで形成されているため、当該可撓部による摘み部のサムターン側への回転伝達も十分とはいえないものとなる。
【０００４】
そこで、本発明は、叙上のような従来存した諸事情に鑑み創出されたもので、摘み部自体が開閉扉体から突出せずに見栄えの良い構造とし、しかも摘み部のサムターン側への回転伝達も確実に行えると共に、サムターンの解錠方向への不正な回転を確実に防止することのできるサムターンの不正回転防止構造を提供することを目的とする。
【課題を解決するための手段】
【０００５】
上述した課題を解決するため、本発明にあっては、サムターンの軸部に対して回動可能となるように枢着された摘み部と、
摘み部外周の一対の押圧ボタンと、
押圧操作により一方の押圧ボタンと噛合可能となるようサムターンの軸部に固定された歯車体の歯車部と、
他方の押圧ボタンの押圧操作または押圧解除により、歯車部側から退避または歯車部側に向けて揺動可能となるように配置された梃子レバーと、
を備え、
他方の押圧ボタンの押圧解除時では一方の押圧ボタンを梃子レバー上端側により係止させて当該一方の押圧ボタンと歯車体の歯車部との噛合を阻止させ、
他方の押圧ボタンの押圧操作によって梃子レバー上端側を歯車体から退避させ、この梃子レバーによる一方の押圧ボタンの係止を解除させて当該一方の押圧ボタンと歯車体の歯車部との噛合を可能にしてサムターンと摘み部とを一体化させるものとしたことを特徴とする。
【０００６】
前記構成において、摘み部は、内部に形成された空間部におけるサムターンの軸部に歯車体が固定されると共に、該歯車体の歯車部に対向して梃子レバーに形成された長孔に前記軸部が所定の遊びを有して挿通され、梃子レバーが支軸部を中心に歯車体の歯車部側に向けて揺動可能となるように配置されているものとすることができる。
【０００７】
さらに、前記構成において、梃子レバーは、この下端部に、歯車体の歯車部に対向するようにしてＬ字形突片部が突設され、梃子レバーの上端側には、歯車体の歯車部の前側平側面に衝止可能となる肉厚部が形成され、該肉厚部はスプリングを介して歯車体の歯車部の前側平側面に常に圧接するように付勢されることで、押圧操作したときの一方の押圧ボタンが歯車体の歯車部に噛合する手前で前記肉厚部により常時係止されるものとし、他方の押圧ボタンの押圧操作によってＬ字形突片部を介して梃子レバーを揺動させ、肉厚部による一方の押圧ボタンの係止を解除させて歯車体の歯車部と噛合させるものとすることができる。
【０００８】
さらに、摘み部の後部内側に、先端を空間部に向けて係止ピンを配設し、この係止ピン先端を、サムターンの軸部に固定された歯車体の歯車部後方に連設された爪車部の係止爪へ、当該サムターンの軸部を解錠させないようにフリー回転可能に係合させてなるものとすることができる。
【発明の効果】
【０００９】
本発明によれば、摘み部自体が開閉扉体から突出せずに見栄えの良い構造とすることができ、しかも摘み部のサムターン側への回転伝達も確実に行えると共に、サムターンの解錠方向への不正な回転を確実に防止することができる。
【００１０】
また、歯車体の歯車部に対向して梃子レバーに形成された長孔に軸部が所定の遊びを有して挿通され、梃子レバーが支軸部を中心に歯車体の歯車部側に向けて揺動可能となるように配置されているので、梃子レバーの揺動スペースが可能な限り小さくでき、摘み部自体を開閉扉体から極端に突出させずに見栄えの良い構成とすることができる。
【００１１】
さらに、他方の押圧ボタンの押圧操作によってＬ字形突片部を介して梃子レバーを揺動させ、肉厚部による一方の押圧ボタンの係止を解除させて歯車体の歯車部と噛合させるものとしたので、摘み部のサムターン側への回転伝達が確実且つ迅速に行える。
【００１２】
さらにまた、摘み部には、歯車体の歯車部後部に連設された爪車部の係止爪へ、サムターンの軸部を解錠させないようにフリー回転可能に先端を係合させた係止ピンを配設させているので、押圧ボタンとは無関係に常時サムターンの解錠方向への回転は防止させることができる。
【発明を実施するための最良の形態】
【００１３】
以下、図面を参照して本発明を実施するための最良の一形態を説明すると、図において示される符号１は、開閉扉体に取り付けられた施解錠用のサムターン２の軸部２Ａに対して回動可能となるように枢着された摘み部であり、該摘み部１の内部には、略円柱状の空間部が形成され、ここには後述する歯車体３、梃子レバー４が内装され、且つ摘み部１の側周の略中間部には、一対の押圧ボタン５、６が対向して配設されると共に、後部内側の押圧ボタン５と６の中間部には一本の係止ピン１０がバネ１１により内方へ付勢された状態で配設されている。
【００１４】
すなわち、図２に示すように、摘み部１は、円筒部１Ａと蓋部１Ｂとを一体化することで内部に略円柱状の空間部が形成されており、また蓋部１Ｂ中央に形成されている穿孔１Ｄにサムターン２の軸部２Ａを挿通し、蓋部１Ｂの反対側から軸部２Ａ先端部に止め具２Ｂを止着することによって、摘み部１は軸部２Ａに対して回動可能となるように組み込まれている。なお、蓋部１Ｂの外面は、内面中央に止め具２Ｂの収容部を形成した外部カバー１Ｃによって覆われている。
【００１５】
また、図２、図３、図４、図１０、図１１に示すように、摘み部１の空間部内におけるサムターン２の軸部２Ａの後方には、歯車体３が固定されている。この歯車体３は、先端側が摘み部１に設けられた押圧ボタン５、６が噛合する歯車部３Ａに形成されると共に、後端側が摘み部１に設けられた係止ピン１０が係合する爪車部３Ｂに連設形成されている。爪車部３Ｂはサムターン２の軸部２Ａの外周に固定された４個の係止爪３Ｃにて形成されている。
【００１６】
ところで、本機構にあっては、サムターン２の軸部２Ａを時計方向へ回動させると、当該サムターン２は施錠され、反時計方向へ回動させると解錠されるように設定されるため、押圧ボタン５、６の操作を伴わない摘み部１の回動のみによるサムターン２の解錠は不可能となっている。
【００１７】
さらに、この歯車体３の歯車部３Ａに対向して、前側には略矩形板状の梃子レバー４が、円筒部１Ａの若干下側寄りに内装横架されている支軸部４Ａを中心にして歯車部３Ａ側に向けて揺動可能となるように配置されている。この梃子レバー４の中央には縦長円形状の長孔８が形成され、該長孔８に軸部２Ａが所定の遊びを有して挿通されている。
【００１８】
そして、梃子レバー４の下端部には、歯車体３の歯車部３Ａに対向するようにしてＬ字形突片部４Ｂが突設され、一方、梃子レバー４の上端側には、歯車部３Ａの前側平側面に衝止可能となる肉厚部４Ｃが形成され、該肉厚部４Ｃは、一端が蓋部１Ｂに固定されたスプリング４Ｄの他端によって支持されることにより、肉厚部４Ｃが歯車部３Ａの前側平側面に常に圧接されるように付勢されている。この肉厚部４Ｃの上端面は、歯車体３の歯車部３Ａの高さよりも若干外側に突出しており、押圧移動したときの後述する押圧ボタン５の凸部５Ａが歯車体３の歯車部３Ａに噛合う手前で係止されるようにしてある。
【００１９】
摘み部１の円筒部１Ａにおける外周の上下対称箇所には小孔７Ａ、７Ｂがそれぞれ形成されており、上側の小孔７Ａを介して上側の押圧ボタン５の凸部５Ａが挿入され、該凸部５Ａ側面の段差部５Ｂによって小孔７Ａに係止された状態となっている。そして、押圧ボタン５の下面部であって凸部５Ａに対して対称に位置する箇所と小孔７Ａの周縁部との間には復帰バネ９が介装されており、押圧ボタン５を常時突出方向に付勢させてある。
【００２０】
一方、下側の小孔７Ｂを介して下側の押圧ボタン６の凸部６Ａが挿入され、該凸部６Ａ側面の段差部６Ｂによって小孔７Ｂに係止された状態となっている。そして、下側の押圧ボタン６の下面部であって凸部６Ａに対して対称に位置する箇所と小孔７Ｂの周縁部との間には復帰バネ９が介装されており、押圧ボタン６を常時突出方向に付勢させてある。
【００２１】
このとき、下側の押圧ボタン６の凸部６Ａの長さは、上側の押圧ボタン５の凸部５Ａの長さよりも若干短くすることで、歯車体３の歯車部３Ａと凸部６Ａとの間に、梃子レバー４の下端部におけるＬ字形突片部４Ｂを臨ませられるようにしてある。
【００２２】
そして、図５に示すように、この下側の押圧ボタン６を押圧操作することにより、当該押圧ボタン６により梃子レバー４のＬ字形突片部４Ｂが押されて当該梃子レバー４が支軸部４Ａを中心にして右方向に揺動し、梃子レバー４の肉厚部４Ｃがスプリング４Ｄを圧縮しながら歯車体３の前側平側面への圧接位置から後方へ退避され、これによって上側の押圧ボタン５の押圧方向への梃子レバー４による係止が解除され、上側の押圧ボタン５の凸部５Ａが歯車体３の歯車部３Ａに噛合う状態となるようにしてある。
【００２３】
さらに、図１０、図１１に示したように、係止ピン１０の先端１０ａは摘み部１内部の空間部において突出され、摘み部１をして時計方向へはフリー回転するように、しかし、反時計方向へは噛合可能に、サムターン２の軸部２Ａに固定した歯車体３における爪車部３Ｂに設けられた４個の係止爪３Ｃへ係合するものとなっている。
【００２４】
次に、以上のように構成された最良の形態についての使用、動作の一例について説明すると、通常状態においては、図６に示すように、手で摘み部１を回動操作しても上下一対の押圧ボタン５、６の両方を押圧しない限り、当該摘み部１自体は、図１１に示すように反時計方向へはフリー回転するため、摘み部１によるサムターン２の解錠は不可能となっている。
【００２５】
また、図７に示すように、下側の押圧ボタン６のみを押圧した状態では、当該押圧ボタン６により梃子レバー４のＬ字形突片部４Ｂが押されて当該梃子レバー４が支軸部４Ａを中心にして右方向に揺動し、梃子レバー４の肉厚部４Ｃがスプリング４Ｄを圧縮しながら後方へ退避されるため、上側の押圧ボタン５の押圧方向への梃子レバー４による係止が解除されるものの、上側の押圧ボタン５自体が押圧操作されていない限り、押圧ボタン５の凸部５Ａが歯車体３の歯車部３Ａに噛合わない状態のままであり、サムターン２を図１１に示す反時計方向へ回転操作させることができず、解錠は不可能となる。
【００２６】
また、図８に示すように、上側の押圧ボタン５のみを押圧した状態では、当該押圧ボタン５の押圧方向への移動が梃子レバー４の肉厚部４Ｃによって係止されるため、押圧ボタン５の凸部５Ａが歯車体３の歯車部３Ａに噛合わない状態となり、サムターン２を図１１に示す反時計方向へ回転操作させることができず、上記と同様に解錠は不可能となる。
【００２７】
また、図９に示すように、親指と人差指とでもって摘み部１外周の一対の押圧ボタン５、６の両方を略同時に押圧すれば、下側の押圧ボタン６により梃子レバー４のＬ字形突片部４Ｂが押されて当該梃子レバー４が支軸部４Ａを中心にして右方向に揺動し、梃子レバー４の肉厚部４Ｃがスプリング４Ｄを圧縮しながら後方へ退避されるため、上側の押圧ボタン５の押圧方向への梃子レバー４による係止が解除されるものとなって押圧ボタン５の凸部５Ａが歯車体３の歯車部３Ａに噛合い、歯車体３と一体化されているサムターン２が時計、反時計方向のいずれにも回転可能状態となり、これによって摘み部１によるサムターン２の施錠、解錠が可能となるのである。
【００２８】
このように一対の押圧ボタン５、６の片方のみを押圧した状態では、他方の押圧ボタン５の凸部５Ａが歯車体３の歯車部３Ａに噛合わず、サムターン２を図１１に示す反時計方向へ回転操作させることが阻止されるため、摘み部１による解錠が不可能となる。したがって、サムターン２の施錠は摘み部１の回転操作のみでよいが、解錠を行なうには必ず一対の押圧ボタン５、６の両方を押圧することが必要となる。
【図面の簡単な説明】
【００２９】
【図１】本発明を実施するための最良の形態における摘み部の正面図である。
【図２】図１中、Ａ−Ａ断面図である。
【図３】図２中、Ｂ−Ｂ断面図である。
【図４】図２中、Ｃ−Ｃ断面図である。
【図５】サムターンの解錠可能状態を示す摘み部の縦断面図である。
【図６】サムターンの解錠不可能状態にある摘み部の内部状態を示すもので、（ａ）は通常時における摘み部の側面図、（ｂ）はその正面図である。
【図７】同じくサムターンの解錠不可能状態にある摘み部の内部状態を示すもので、（ａ）は下側の押圧ボタンのみを押圧した状態の側面図、（ｂ）は下側の押圧ボタンのみを押圧した状態の正面図である。
【図８】同じくサムターンの解錠不可能状態にある摘み部の内部状態を示すもので、（ａ）は上側の押圧ボタンのみを押圧した状態の側面図、（ｂ）は上側の押圧ボタンのみを押圧した状態の正面図である。
【図９】サムターンの解錠可能状態にある摘み部の内部状態を示すもので、（ａ）は一対の押圧ボタンの両方を押圧した状態の側面図、（ｂ）は一対の押圧ボタンの両方を押圧した状態の正面図である。
【図１０】図１中、Ｄ−Ｄ断面図である。
【図１１】図１０中、Ｅ−Ｅ断面図であって、（ａ）は摘み部の回転前の断面図、（ｂ）は摘み部の回転中の断面図である。
【符号の説明】
【００３０】
１          摘み部
１Ａ        円筒部
１Ｂ        蓋部
１Ｃ        外面カバー
２          サムターン
２Ａ        軸部
２Ｂ        止め具
３          歯車体
３Ａ        歯車部
３Ｂ        爪車部
３Ｃ        係止爪
４          梃子レバー
４Ａ        支軸部
４Ｂ        Ｌ字形突片部
４Ｃ        肉厚部
４Ｄ        スプリング
５          上側の押圧ボタン
５Ａ        凸部
５Ｂ        段差部
６          下側の押圧ボタン
６Ａ        凸部
６Ｂ        段差部
７Ａ、７Ｂ  小孔
８          長孔
９          復帰バネ
１０        係止ピン
１０ａ      係止ピンの先端
１１        バネ
【図１】
0004750483.tif 000002
【図２】
0004750483.tif 000003
【図３】
0004750483.tif 000004
【図４】
0004750483.tif 000005
【図５】
0004750483.tif 000006
【図６】
0004750483.tif 000007
【図７】
0004750483.tif 000008
【図８】
0004750483.tif 000009
【図９】
0004750483.tif 000010
【図１０】
0004750483.tif 000011
【図１１】
0004750483.tif 000012